(57)【要約】【課題】  手術部位からの飛散物から手術者や看護士等を保護すると共に、飛散物による手術室等の汚染をも防ぎ、外科手術の際の二次感染の危険性を減少させる。【解決手段】  手術用カバー１１は、透明シートにより形成された上下方向に延びる筒状体１３を備え、筒状体１３の上端部を絞ることにより、小径の上側開口部１７が形成されると共に、筒状体１３の下端部に全周に沿って環状枠１９を取り付けることにより、上側開口部１７より大径の下側開口部１５が形成される。さらに、筒状体１３は、環状枠１９から上側開口部１７に向けて筒状体１３に沿い延びる複数の支持部材２３によって、上側開口部１７から下側開口部１５に向かって末広がりの立体形状となるように支持される。【選択図】      図１
2005329064.tif 000002
【特許請求の範囲】
【請求項１】
手術部位を覆うことにより、手術部位からの飛散物による周囲の汚染を防止するための手術用カバーであって、
透明シートにより形成された上下方向に延びる筒状体の上端部を絞って小径の上側開口部を形成すると共に、該筒状体の下端部には全周に沿って環状枠を取り付けて前記上側開口部より大径の下側開口部を形成し、さらに、前記環状枠から前記上側開口部に向けて前記筒状体に沿い延びる複数の支持部材によって、前記上側開口部から前記下側開口部に向かって末広がりの立体形状となるように前記筒状体を支持し、前記上側開口部を通して前記筒状体の内部にアクセスできるようにしたことを特徴とする手術用カバー。
【請求項２】
前記上側開口部は、その開口面積が拡縮可能となるように、弾性環状部材によって絞られている請求項１に記載の手術用カバー。
【請求項３】
前記環状枠及び前記支持部材は、外力を加えることにより変形可能であり且つ変形後の形状を保持できる材料から形成される、請求項１に記載の手術用カバー。
【発明の詳細な説明】
【技術分野】
【０００１】
本発明は、医療現場で行われる外科手術時に使用される手術補助具に関し、特に、手術部位を覆うことにより、手術部位から周囲へ血液、骨片等が飛散して周囲を汚染することを防止するための手術用カバーに関する。
【背景技術】
【０００２】
整形外科、脳外科、脳胸部外科などの外科分野では、電動式や気動式の鋸やドリルなどの工具を使用して、骨や組織の切断切除などの手術手技が行われる。その際には、特許文献１や特許文献２に記載のような無菌布（ドレープ）で手術部位の周囲を覆った上で、無菌布に形成された開口部から手術部位を露出させることにより、手術部位の無菌性及び清潔性を確保するようにしている。
【０００３】
また、上記のような外科手術の際には、血液や骨片などの組織片が手術部位から周囲に飛散することが避けられないが、衛生面及び院内感染の予防の観点から、血液等が手術者や手術室に付着することを防止することが望ましい。特に、血液の付着は患者から手術者等への二次感染を引き起こす可能性があることから、手術者等を血液や組織片などから保護することが重要となる。しかしながら、無菌布は、手術部の周囲を覆いつつ手術部を露出させて手術を行うものであり、血液等が周囲に飛散することを防止することはできない。そこで、従来は、手術着の他に、ゴーグルやマスクを使用して、手術者等の顔に血液等が直接付着することを防止したり、特許文献３に記載のようなフェースガードを着用したりしていた。
【０００４】
【特許文献１】実開昭６０−１７７８１４号公報
【特許文献２】特開２００３−２３０５７１号公報
【特許文献３】実開平６−５５６０９号公報
【発明の開示】
【発明が解決しようとする課題】
【０００５】
ゴーグルやマスクは、感染を引き起こしやすい顔の粘膜を保護する上では有効であるが、それらに覆われていない顔面に飛散物が付着することは防げないという問題がある。また、フェースガードは顔面全体を保護することができるが、換気が悪く温度上昇を引き起こす他、運動機能を妨げるなどの不快感を招来させることもあり、長時間の手術に不向きであるという問題があった。
【０００６】
さらに、ゴーグル、マスク、フェースガードなどは、手術着と同様に、手術部位からの飛散物が手術者に付着することを防止するためのものであり、周囲の医療機器や手術室を飛散物による汚染から保護することはできないという問題があった。
【０００７】
よって、本発明の目的は、上記従来技術に存する問題を解消して、手術部位からの飛散物から手術者や看護士等を保護すると共に、飛散物による手術室等の汚染をも防ぎ、外科手術の際の二次感染の危険性を減少させることにある。
【課題を解決するための手段】
【０００８】
本発明は、上記目的に鑑み、手術部位を覆い、手術部位からの飛散物による周囲の汚染を防止するための手術用カバーであって、透明シートにより形成された上下方向に延びる筒状体の上端部を絞って小径の上側開口部を形成すると共に、該筒状体の下端部には全周に沿って環状枠を取り付けて前記上側開口部より大径の下側開口部を形成し、さらに、前記環状枠から前記上側開口部に向けて前記筒状体に沿い延びる複数の支持部材によって、前記上側開口部から前記下側開口部に向かって末広がりの立体形状となるように前記筒状体を支持し、前記上側開口部を通して前記筒状体の内部にアクセスできるようにした手術用カバーを提供する。
【０００９】
筒状体は、筒状体の下側開口部の周囲の全周に沿って取り付けられた環状枠とそこから上側開口部に向かって延びる複数、好ましくは３から５本の支持部材とによって、末広がりの立体形状に保持されており、その内部に空間を形成している。本発明の手術用カバーでは、手術部位の周囲に筒状体の下側開口部を接触させて筒状体を配置することにより、筒状体の内部空間に手術部位を閉じ込め、この筒状体の内部空間を手術のためのスペースとして利用する。そして、このようにして血液等の飛散を筒状体の内部空間に限定させることにより、血液等が手術部位から手術者や手術室内に飛散することを防止する。また、筒状体は透明シートから形成されているので、手術者は手術部位を見ながら手術を行うことができ、手術者の視野を妨げることもない。さらに、筒状体の上側開口部は、手術者が筒状体の内部空間へアクセスすることを許容する部分である一方で、筒状体の内部から外部へ血液等が飛散することを許す部分でもあるが、筒状体の上側開口部は下側開口部と比較して小径に絞られており、これにより血液等が筒状体の内部空間から外部へ飛散する可能性を低下させている。
【００１０】
また、前記上側開口部は、その開口面積が拡縮可能となるように、弾性環状部材によって絞られていることが好ましい。
【００１１】
前記環状枠及び前記支持部材は、外力を加えることにより変形可能であり且つ変形後の形状を保持できる材料、例えば、繊維強化樹脂又は樹脂コーティング鋼材から形成されることが好ましい。この場合、下側開口部の形状を手術部位の表面に追従させることが可能となると共に、筒状体の形状を用途に合わせて所望の形状に変形することが可能となる。
【発明の効果】
【００１２】
以上、本発明の手術用カバーによれば、立体形状に保持された透明の筒状体によって手術部位を覆い、筒状体の内部空間内で手術を行うことが可能となる。これにより、手術部位からの血液等の飛散が筒状体の内部空間内に限定され、手術部位からの飛散物から手術者等を保護すると共に、飛散物による手術室等の汚染をも防ぎ、外科手術の際の二次感染の危険性を減少させる効果を奏する。
【発明を実施するための最良の形態】
【００１３】
以下、図面を参照して、本発明の実施形態について説明する。なお、図１において、簡単化のために、環状枠１９、弾性環状部材２１及び支持部材２３は簡略化して示されている。
【００１４】
図１を参照すると、本発明の手術用カバー１１は、上下方向に延びる筒状体１３を備える。筒状体１３の下端部には大径の下側開口部１５が形成され、上端部には下側開口部１５よりも小径に絞った上側開口部１７が形成されている。この筒状体１３は柔軟な薄肉透明シートから形成されており、その内部が見えるようになっている。透明シートは、オレフィン系樹脂、軟質ポリ塩化ビニル等柔軟性を有するシートであれば何でもよいが、使用後の焼却処分を考慮すれば、エチレン系樹脂又はエチレン酢酸ビニル共重合体等の非塩素系樹脂からなるシートが好ましい。
【００１５】
筒状体１３の下側開口部１５には、その周囲の全周に沿って環状枠１９が取り付けられており、開口した形状を保持することができるようになっている。環状枠１９は、使用者が環状枠１９を所望の形状に変形した状態で使用できるように、外力を加えることにより変形可能であり且つ変形後の形状を保持できる可撓性材料から形成されていることが好ましい。例えば、環状枠１９の材料として、金属製ワイヤ等の金属線材、樹脂コーティング鋼材等の樹脂コーティング金属線材、繊維強化樹脂等を使用することができる。なお、廃棄後の処理を容易にする観点から、金属を使用していない繊維強化樹脂から環状枠を形成することが好ましい。
【００１６】
筒状体１３の下側開口部１５の周囲への環状枠１９の取り付けは、例えば、図３に示されているように筒状体１３の下側開口部１５の周囲にその全周に沿って形成されたポケットに環状枠１９を収容することにより行われる。ポケットは、例えば、図３に示されているように筒状体１３の下端部の開口縁部を全周にわたって筒状体１３の軸線方向に折り返し、開口縁部を筒状体１３の内周面又は外周面に接合することにより形成することができる。帯状部材を筒状体１３に周方向に貼り付けることによりポケットを形成してもよい。また、図４に示されているように、樹脂によってワイヤ等の線材をコーティングした帯状体を環状に形成したものを環状枠１９として使用し、これを筒状体１３の下端部の開口縁部全周に沿って接着することにより、筒状体１３の下端部への環状枠１９の取り付けを行ってもよい。
【００１７】
一方、上側開口部１７は、筒状体１３の上端部開口の周囲の全周に沿って取り付けられた弾性環状部材２１によって筒状体１３の上端部をギャザー状に絞ることにより形成されている。したがって、上側開口部１７は、必要に応じて、その開口面積を拡張することができる。弾性環状部材２１の材料としては、例えば、ゴムなどを使用することができる。筒状体１３の上端部への弾性環状部材２１の取り付けは、例えば、図５に示されているように筒状体１３の上端部開口の周囲の全周に沿って形成されたポケットに弾性環状部材２１を収容することによって行われる。ポケットは、例えば、筒状体１３の上端部の開口縁部を全周にわたって筒状体１３の軸線方向に折り返し、開口縁部を筒状体１３の内周面又は外周面に接合することにより形成され得る。
【００１８】
筒状体１３は、立体形状を保つために、環状枠１９から上側開口部１７に向けて筒状体１３の側面に沿って延びる複数、好ましくは３から５本の線状支持部材２３によって支持されている。支持部材２３は、使用者が支持部材２３を所望の形状に変形した状態で使用できるように、外力を加えることにより変形可能であり且つ変形後の形状を保持できる可撓性材料から形成されていることが好ましい。また、支持部材２３は、環状枠１９と同じ材料から形成されていることが好ましい。例えば、支持部材２３の材料として、金属製ワイヤ等の金属線材、樹脂コーティング鋼材等の樹脂コーティング金属線材、繊維強化樹脂等を使用することができる。
【００１９】
筒状体１３を立体形状に保つために、支持部材２３の下端部は、溶接、接着又は圧着などによって環状枠１９と固定的に接合されている。もちろん、支持部材２３と環状枠１９とを固定的に接合できるのであれば、他の接合方法を使用することも可能である。一方、支持部材２３の上端部には、図２に示されているように、ループ部が形成されており、ループ部の内側に弾性環状部材２１を通すことにより、支持部材２３の上端部と弾性環状部材２１との接続がなされている。もちろん、弾性環状部材２１の伸縮を妨げない限り、他の接続方法を採用することも可能である。また、支持部材２３と弾性環状部材２１とは必ずしも接続されている必要はなく、支持部材２３は、筒状体１３の上端部近傍において、弾性環状部材２１の手前で終端していてもよい。
【００２０】
また、筒状体１３への支持部材２３の取り付けは、例えば、図６に示されているように、筒状体１３の周方向の離れた部位を互いに接合することにより形成したポケットに支持部材２３を収容することにより行うことができる。また、図７に示されているように、樹脂によってワイヤ等の線材をコーティングした帯状体を支持部材２３として使用する場合、環状枠１９から上側開口部１７に向かって筒状体１３の側面に沿ってこの帯状体を接着することにより、筒状体１３の側面への支持部材２３の取り付けを行うこともできる。図示されていないが、帯状部材を軸線方向に筒状体に貼り付けることにより形成したポケットに支持体を収容するなど他の方法により、筒状体１３への支持部材２３の取り付けを行ってよいことはもちろんである。
【００２１】
このように、小径の上側開口部１７と大径の下側開口部１５とを有する筒状体１３を環状枠１９及び複数の支持部材２３によって、筒状体１３は上側開口部１７から下側開口部１５に向かって末広がりの立体形状となるように支持され、手術を行えるスペースが筒状体１３の内部に確保される。
【００２２】
次に、図８を参照して、図１に示されている手術用カバーの使用方法について説明する。
まず、手術者２５は、手術用カバー１１の下側開口部１５を患者２７の手術部位の周囲に配置し、手術用カバー１１の下側開口部１５の環状枠１９を手術部位周囲の形状に合わせて変形させる。また、必要に応じて、複数の支持部材２３に力を加えて所望の立体形状が得られるように変形させる。
【００２３】
このようにして、筒状体１３を所望の立体形状に変形した後、手術者２５は、図８に示されているように、手を筒状体の外部に出したまま、上側開口部１７を通して、筒状体１３の内部空間に手術器具を挿入する。なお、上側開口部１７の開口面積は拡縮可能になっており、必要に応じて上側開口部１７の開口面積を拡大させることができるので、大きな器具を挿入することや両手を挿入することも容易であり、手術者２５の作業性を損なわせることはない。
【００２４】
次に、手術者２５は、筒状体１３の内部空間で手術を行う。このとき、筒状体１３は透明であるので、手術者２５は筒状体１３を通して手術部位を視認しながら手術を行うことができる。
【００２５】
このように、手術部位は、筒状体１３によって覆われており、筒状体１３の内部空間に閉じ込められているので、手術部位からの血液等の飛散は筒状体１３の内部空間に限定され、手術者２５や手術室などは血液等の飛散物から保護される。また、筒状体１３は、基本的に、上側開口部１７から下側開口部１５に向けて末広がりの形状をしているので、患者２７の表面の広い面積を筒状体１３で覆うことができる一方、筒状体１３の内部から外部に血液等を飛散させ得る上側開口部１７が小さくなっていることにより、筒状体１３の内部から外部へ血液等が飛散する可能性が小さくなっている。さらに、上側開口部１７の開口面積が拡縮可能となっているので、手術の際に、上側開口部１７の縁部が手術者２５の手の周囲に向かって収縮し、上側開口部１７の開口面積が最小限に抑えられる。これにより、血液等が手術部位から上側開口部１７を通して筒状体１３の外部へ飛散する可能性をさらに小さく抑えている。
【００２６】
以上、図面を参照して、本発明の実施形態について説明したが、図示されている実施形態は本発明の実施形態の一つに過ぎず、本発明は図示されている実施形態に限定されるものではない。例えば、図示されている実施形態では、筒状体１３は透明シートから形成されているものとして説明されたが、筒状体１３は、少なくとも一部が透明シートから形成され筒状体の内部を視認しながら手術ができるようになっていればよい。
【図面の簡単な説明】
【００２７】
【図１】本発明の手術用カバーの斜視図である。
【図２】図１に示されている手術用カバーから筒状体を除去した状態の斜視図である。
【図３】筒状体の下端部に対する環状枠の取り付けの一実施形態を示している筒状体下端部の拡大断面図である。
【図４】筒状体の下端部に対する環状枠の取り付けの他の実施形態を示している筒状体下端部の拡大断面図である。
【図５】筒状体の上端部に対する弾性環状部材の取り付けの一実施形態を示している筒状体上端部の拡大断面図である。
【図６】筒状体に対する支持部材の取り付けの一実施形態を示している筒状体側面の拡大断面図である。
【図７】筒状体に対する支持部材の取り付けの他の実施形態を示している筒状体側面の拡大断面図である。
【図８】本発明の手術用カバーの使用方法を説明する説明図である。
【符号の説明】
【００２８】
１１…手術用カバー
１３…筒状体
１５…下側開口部
１７…上側開口部
１９…環状枠
２１…弾性環状部材
２３…支持部材
【図１】
2005329064.tif 000003
【図２】
2005329064.tif 000004
【図３】
2005329064.tif 000005
【図４】
2005329064.tif 000006
【図５】
2005329064.tif 000007
【図６】
2005329064.tif 000008
【図７】
2005329064.tif 000009
【図８】
2005329064.tif 000010